(57)【要約】      （修正有）【課題】設置不可能な特に険しい環境下に対しても設置を可能とする空輸設置式旗類掲示装置を提供する。【解決手段】軟着陸を可能とする緩衝材６を底面に有する台座２と、台座２上に立設されたポール８と、ポール８上部周りに設けられた旗類１３と、ポール８の軸上に突設された空輸用係留部材１６とを備えてなる。【選択図】図１
0003221549.tif 000002
【実用新案登録請求の範囲】
【請求項１】
軟着陸を可能とする緩衝材を底面に有する台座と、台座上に立設されたポールと、ポール上部周りに設けられた旗類と、ポールの軸上に突設された空輸用係留部材とを備えてなる空輸設置式旗類掲示装置。
【請求項２】
海洋や湖沼あるいは河川などの水面に浮上するとともに水底に係留可能な錨や錘などの係留手段を鎖やワイヤロープなどのつなぎ材を介して連結してなる浮上ブイと、浮上ブイ上に立設されたポールと、ポール上部周りに設けられた旗類と、ポールの軸上に突設された空輸用係留部材とを備えてなる空輸設置式旗類掲示装置。
【考案の詳細な説明】
【技術分野】
【０００１】  本考案は、空輸設置式旗類掲示装置に関する。
【背景技術】
【０００２】  例えば、旗類を掲揚するには、ポール本体を備え、このポール本体には、上端に滑車を設け、その滑車に日の丸国旗などの旗類を備えたロープを掛け回すことにより旗類を掲揚可能にしたものが一般的である。そうした一例としては、特許公報１に示すものがある。
【先行技術文献】
【特許文献】
【０００３】
【特許文献１】特許第２５２０３１３号
【考案の概要】
【考案が解決しようとする課題】
【０００４】  特許文献１に示すものは、旗ポールについてのものであるが、そのポール本体は、下端部を地面に設置したコンクリート製の基礎に埋設固定することにより立設されるものであることから、例えば、山岳や離島、あるいは海洋上などで人が安全に留まって埋設作業などをするのが困難な険しい場所には設置不能であり危険でもある。【０００５】  本考案は、こうした問題を解決しようとするものであり、設置不可能な特に険しい環境下に対しても設置を可能とする空輸設置式旗類掲示装置を提供することを目的とする。
【課題を解決するための手段】
【０００６】  本考案は上記目的を達成するため、請求項１に記載の考案は、軟着陸を可能とする緩衝材を底面に有する台座と、台座上に立設されたポールと、ポール上部周りに設けられた旗類と、ポールの軸上に突設された空輸用係留部材とを備えてなる。
旗類とは国旗・校旗・団体標章旗・店舗標章旗・イベント標章旗など表示内容を問わず広くその対象とし、また旗類の生地も自然繊維や合成繊維などに基づくものあるいは炭素繊維に基づくものなどが使用される。その形態も矩形に限定されず三角形などでもよい。ポールは、垂直の他に斜め指向のものであってもよい。
請求項２に記載の考案は、海洋や湖沼あるいは河川などの水面に浮上するとともに水底に係留可能な錨や錘などの係留手段を鎖やワイヤロープなどのつなぎ材を介して連結してなる浮上ブイと、浮上ブイ上に立設されたポールと、ポール上部周りに設けられた旗類と、ポールの軸上に突設された空輸用係留部材とを備えてなる。
【考案の効果】
【０００７】  上述したように請求項１に記載の考案は、軟着陸を可能とする緩衝材を底面に有する台座と、台座上に立設されたポールと、ポール上部周りに設けられた旗類と、ポールの軸上に突設された空輸用係留部材とを備えてなるので、設置不可能な特に険しい環境下に対しても設置を可能とする空輸設置式旗類掲示装置を提供することができる。
【図面の簡単な説明】
【０００８】
【図１】  本考案の一実施形態を空輸中において示す全景図。
【図２】  旗類掲示装置を現場に設置し終えた際の状態を示す斜視図。
【図３】  旗類掲示装置全体の正面図。
【図４】  図３のＩＶ−ＩＶ線拡大断面図。
【図５】  旗類を二重層式とした他の実施形態を示す断面図。
【図６】  旗類掲示装置の他の実施形態を示す斜視図。
【図７】  ３脚式にした他の実施形態を示す平面図。
【図８】  海上に設置するため空輸中の様子を表す全景図。
【図９】  海上に旗類掲示装置を浮上設置した様子を表す側断面図。
【図１０】  他の実施形態を示す斜視図。
【図１１】  付加的な提案例を示す正面図。
【図１２】  付加的な他の提案例を示す正面図。
【考案を実施するための形態】
【０００９】  以下、本考案である空輸設置式旗類掲示装置の一実施形態を図１ないし図５に基づいて説明する。
これらの図において、１は離島の設置基盤（頂）で、図では平坦で整理された様子であるが例えば、火山や登頂難易度の高い山岳などの頂とか離島の頂や峰添いの一角など様々な険しい場所のこともある。
【００１０】  Ａは旗類掲示装置の一つで、そのうち２は台座で、六面体で中空状をなす例えば、ＳＵＳ板製部材で、その内底部には錘３が内装されている。この台座２は円筒状や三角筒状などでもよく、その外周には４個所に亘って張出脚５…が一体固定されるとともに、各張出脚５の底面にはゴムやウレタンエラストマーなどによる軟着陸用軟質緩衝材６が取り付けられている。尚、台座２の外周には日の丸国旗図柄７が適宜数表示されていて後述する上方の旗類１３が失われても最低限の表示機能を確保できるようにしてある。
【００１１】  台座２の中央からは長さが２〜５ｍ程度のＳＵＳパイプ（あるいは中実シャフト）製のポール８が立設されている。ポール８の上部周りには、上下に１ｍ前後離れて上ストッパ９と下ストッパ１０とが設けられるとともに、それらの間には円滑な回転を促すための内パイプ１１がＳＵＳパイプ製や樹脂パイプ製などとして設けられている。
【００１２】  １３は日の丸国旗である旗類である。この旗類１３は、丸筒状にした基部１３ａと旗本体である矩形状をした本体部１３ｂとよりなり、基部１３ａは前記内パイプ１１の外周を被包するように設けられ、本体部１３ｂには日の丸の象徴となる赤丸が表示されている。
旗類１３は、図３に靡いた様子で示された耐候性に富む布（合成繊維製も含む）や炭素繊維で編製されたものとされて、自然に強いものとされる。炭素繊維製の場合、下地としてセラミック塗料のような耐候性の高い塗料を塗りその上に赤丸を塗装して仕上げるものとする。
旗類１３は、図３において直線で矩形に表現したように、ＳＵＳ薄板製あるいはチタン薄板製により自然耐久性の高いものにすることがある。
また、ＳＵＳ薄板製などによる場合、図４のように１枚板状にする場合と、図５のように２枚合わせにより薄くて強度のあるものにする場合とがある。
【００１３】  １５はＳＵＳやチタン製の頭玉体で、ポール８の上端に固着され、１６は空輸用係留部材で、リング製でポール８の上端に通されて上向きに突設されている。
この空輸用係留部材１６は、図１に示すようなヘリコプター（空輸用航空機）１７から伸びたリンクチェーンやワイヤロープなどの吊持部材１８にフックなどの吊り掛け部材１９を介して吊り掛けられまたその連動解除も可能なように構成されている。空輸用航空機１７はヘリコプターの他にセスナやドローン２０などでもよい。
【００１４】  ２２はソーラーパネルで、制御機器は図示省略されているが、このパネル２２からの電力は、ポール８の上部周りに設けたＬＥＤ照光装置２３に供給可能とされる。このパネル２２は、図３に仮想線で示すように、旗類１３の基部側に設けてもよいし、台座２の上面自体に設けてもよい。尚、旗類１３自体には蛍光塗料を付してもよい。
【００１５】  この旗類掲示装置Ａは、図１に示すように、吊持部材１８を介してヘリコプター１７により目的とする現場に空輸される。図２の現場に着くと電動解除などにより吊り掛け部材１９が係合解除されることで安定設置可能な設置基盤１上に降ろされる。その際、装置の下部には軟着陸用の軟質緩衝材６…が設けられかつ錘３が作用することから壊れることなくしかも安定な正式姿勢に降下される。この旗類掲示装置Ａは、図８のような離島、例えば、領域が問題となるような島の頂上や尾根あるいは特定平坦域などを目的地として設置することがある。このような場合、本土からダイレクトに空輸する方法の他に、本土から空輸手段とともに該装置Ａを船舶輸送し接近位置から空輸手段を使って当該島上に装置Ａを空輸設置するような場合も含まれる。船舶としては潜水艦も含まれる（以下同様）。
【００１６】  図１６は他の実施形態で、台座２が円盤型をしたものになっている。図７も他の実施形態で、張出脚５が３本でそのそれぞれに軟質緩衝材６が設けられたものになっている。台座２はケース状のものでなくても１枚の板状をしたものや四角など多角形枠あるいは円形枠状をしたものにしてもよい。
【００１７】  図８および図９は他の実施形態を示す。
これらの図において、３０は日本海などの海面（領域を示すべき海面を含む）、３１はその海底、３２は領域内である離島を示す。対象は、海洋や湖沼あるいは河川などの水面とされる。
【００１８】  Ｂは旗類掲示装置で、該装置Ｂに示す３４は浮上ブイで、樹脂やＳＵＳ、チタナンなどにより中空の球形に造られている。浮上ブイ３４内の底部には図示しない錘が内蔵されて起立浮上を可能とするようになっているとともに、該ブイ３４の上半分表面には、ソーラーパネル３５が貼付けられている。この浮上ブイ３４は円筒状や三角筒状などでもよい。
尚、浮上ブイ３４のソーラーパネル３５を含む外周には日の丸国旗図柄が適宜数表示されていて上方の旗類が失われても最低限の表示機能を確保できるようにしてある。
【００１９】  浮上ブイ３４の中央からは長さが２〜５ｍ程度のＳＵＳパイプ（あるいは中実シャフト）製のポール３６が立設されている。このポール３６の上部周りには、上下に１ｍ前後離れて上ストッパ３７と下ストッパ３８とが設けられるとともに、それらの間には円滑な回転を促すための内パイプがＳＵＳパイプ製や樹脂パイプ製などとして設けられている。
【００２０】  ４０は日の丸国旗である旗類である。この旗類４０は、丸筒状にした基部４０ａと旗本体である矩形状をした本体部４０ｂとよりなり、基部４０ａは前記内パイプの外周を被包するように設けられ、本体部４０ｂには日の丸の象徴となる赤丸が表示されている。
【００２１】  旗類４０は、図に靡いた様子で示された耐候性に富む布（合成繊維製も含む）や炭素繊維で編製されたものとされて、自然に強いものとされる。炭素繊維製の場合、下地としてセラミック塗料のような耐候性の高い塗料を塗りその上に赤丸を塗装して仕上げるものとする。
旗類４０は、図３において直線で矩形に表現したように、ＳＵＳ薄板製あるいはチタン薄板製により自然耐久性の高いものにすることがある。
また、ＳＵＳ薄板製などによる場合、図４のように１枚板状にする場合と、図５のように２枚合わせにより薄くて強度のあるものにする場合とがある。
【００２２】  ４１はＳＵＳやチタン製の頭玉体で、ポール３６の上端に固着され、４２は空輸用係留部材で、リング製でポール３６の上端に通されて上向きに突設されている。
この空輸用係留部材４２は、図８に示すようなヘリコプター（空輸用航空機）４４から伸びたリンクチェーンやワイヤロープなどの吊持部材４５にフックなどの吊り掛け部材４６を介して吊り掛けられまたその連動解除も可能なように構成されている。空輸用航空機４４はヘリコプターの他にセスナやドローンなどでもよい。
【００２３】  前記ソーラーパネル３５からの制御機器は図示省略されているが、このパネル３５からの電力は、ポール３６の上部周りに設けるＬＥＤ照光装置４８に供給可能とされる。尚、旗類４０自体には蛍光塗料を付してもよい。
【００２４】  この旗類掲示装置Ｂには、浮上ブイ３４の底部を介して錨（あるいは錘）である係留手段５０を備えた鎖（あるいはワイヤロープ）でなるつなぎ材５１の上端が係留されている。係留手段５０はつなぎ材５１の軸上に２個など複数配列して係留の確実化を図っているが、単一個でもよく、逆に３以上でもよい。
【００２５】  この旗類掲示装置Ｂは、図８に示すように、吊持部材４５を介してヘリコプター４４により目的とする現場に空輸される。図９の現場に着くと電動解除などにより吊り掛け部材４６が係合解除されることで装置Ｂが海面３０に落とされて浮上ブイ３４を海面３０上で浮上されポール３６を起立させた安定姿勢にされるとともに旗類４０が靡いた掲示状態とすることができる。装置Ｂの落下とともに係留手段５０も下降して海底３１まで降ろされ係留状態を得ることになる。
【００２６】  図１０は他の実施形態を示すもので、浮上ブイ５５が下部を円錐形とし上部を円筒形としたものである。同ブイ５５の上面にはソーラーパネル５６が設置されるとともに外周には日の丸国旗図柄５７が施されている。
尚、頭玉体５８それ自体をＬＥＤ照光装置とすることができる。また、ポール５９に設けた布製旗類６０は右図のように炭素繊維・ＳＵＳ・チタンなどの薄板状の部材を使用することもある。つなぎ材６１に取り付けられる係留手段６２は錨の他に錘であることもある。
前記実施形態でも同様であるが、装置が走錨・盗難に遭った場合の対策として装置にはＧＰＳを搭載したり、また気象情報報知機器も搭載することがある。
【００２７】  図１１は付加的な提案例の一つを示すもので、避雷針や立ち木、電柱、あるいは各種ポールなどの高伸材６５の上部には矩形の基部枠６６を回転可能に取り付けるとともに、基部枠６６の先端軸回りに旗類６７を回転可能に取り付けたものである。基部枠６６は縦Ｈで横Ｌであるのに対してそれぞれ旗類６７の縦横寸法Ｂ・Ａは小さくなっているので、旗類６６は基部枠６６に対し絡みつかず回転し得るようになっている。旗類は布など靡き得るものやＳＵＳなどの薄板状のものも含まれる。基部枠６６は回転しないタイプにしてもよい。
【００２８】  図１２は付加的な提案例の一つを示すもので、壁付けブラケット７０に斜め軸状をなして差し込まれたポール７１に旗類７２が装備されたものであって、その旗類７２の面に例えば、「旗を掲げて東京五輪・大阪万博を応援しています」のような応援メッセージを表示して盛り上げるようにしたものである。
【符号の説明】
【００２９】１…設置基盤  ２…台座  ５…張出脚  ８…ポール  １３…旗類  １６…空輸用係留部材  １７，２０…空輸手段  ３０…海面（水面）  ３１…海底…  ３４…浮上ブイ  ３６…ポール  ４０…旗類  ４２…空輸用係留部材  ４４…ヘリコプター  ４５…吊持部材  ４６…吊り掛け部材  ５０…係留手段。
【図１】
0003221549.tif 000003
【図２】
0003221549.tif 000004
【図３】
0003221549.tif 000005
【図４】
0003221549.tif 000006
【図５】
0003221549.tif 000007
【図６】
0003221549.tif 000008
【図７】
0003221549.tif 000009
【図８】
0003221549.tif 000010
【図９】
0003221549.tif 000011
【図１０】
0003221549.tif 000012
【図１１】
0003221549.tif 000013
【図１２】
0003221549.tif 000014